(57)【特許請求の範囲】
【請求項１】
工具軸線（Ａ）に沿う衝撃負荷が及ぼされる工具を把持するための工具ホルダ（２）を含み、工具ホルダ（２）が、該結合スリーブ（３）と、直径線上で互いに対向させて配置した２個の半径方向スリット（４、４’）と、該スリット（４、４’）内で軸線方向及び半径方向に変位可能とする各１個の係止部材（５）と、前記結合スリーブ（３）及び係止部材（５）を包囲すると共に、装置側で半径方向に拡大する内周面（７）を有する係止スリーブ（６）と、前記係止部材（５）と軸線方向で形状結合して協働するばね負荷型のシフトスリーブ（８）とを具え、前記係止部材（５）は前記結合スリーブ（３）の肉厚を半径方向に超えて該結合スリーブ（３）の内部に突出し、かつ、該係止スリーブ（６）の前記内周面（７）に当接する手持式衝撃工具装置において、前記係止部材（５）の幅を、前記工具軸線（Ａ）に向けて減少させ、
前記シフトスリーブ（８）に少なくとも一部が半径方向に延在する連動突部（１６）を設けると共に、前記係止部材（５）に少なくとも一部が半径方向に延在する連動溝（１７）を設け、前記連動突部（１６）を前記連動溝（１７）に対して軸線方向で形状結合可能としたことを特徴とする衝撃工具装置。
【請求項２】
請求項１記載の衝撃工具装置において、前記結合スリーブ（３）のスリット（４、４’）の幅を、前記工具軸線（Ａ）に向けて減少させたことを特徴とする衝撃工具装置。
【請求項３】
請求項１又は２に記載の衝撃工具装置において、前記係止部材（５）に、その全長の一部に亙り、工具側に向けられた傾斜面（１５）を設けたことを特徴とする衝撃工具装置。
【請求項４】
請求項１〜３の何れか一項に記載の衝撃工具装置において、前記係止部材（５）は、前記係止スリーブ（６）を介して、エラストマ材料で構成された緩衝部材（１３）に当接させることを特徴とする衝撃工具装置。
【発明の詳細な説明】
【０００１】
【発明の属する技術分野】
本発明は、ハンマードリル、チゼルハンマ等の手持式衝撃工具装置に関し、特に、チゼルドリル、チゼル等の工具を把持する工具ホルダを具える衝撃工具装置に関するものである。
【０００２】
【従来の技術】
衝撃力を生じる手持式衝撃工具装置においては、工具軸線に沿って往復運動を行う打撃部材が、軸線方向で工具の端面に衝突する。工具を把持するための工具ホルダは、工具の連回溝に係合して工具を一体的に回転させる連行ウェブと、工具の係止溝に係合して工具を軸線方向で限定的に可動とする係止部材とを有する。
【０００３】
上述した構成の衝撃工具装置においては、工具を係止するために、作業者が操作部材を手動で操作する必要がある。更に、既存の工具ホルダにあっては、基盤中に伝達されない衝撃エネルギ、いわゆる「空撃ち」のエネルギを、工具ホルダ及び工具により緩衝なしに受止める必要があり、工具ホルダの損傷のみならず、工具の係止が解除される恐れがある点で不利である。
【０００４】
ドイツ特許出願公開第４３１０８３５号公報には、２本のスリットを直径線上で互いに対向させて配置した結合スリーブを有する手持式衝撃工具装置用の工具ホルダが開示されている。スリット内で軸線方向及び半径方向に変位可能とした２個の係止部材は、ほぼ直方体形状を有する。係止部材に側方突部を付加することにより、工具軸線に向けて半径方向に過度の深度まで進入するのを防止する。連動溝及び対応する連動突部を互いに係合させて、軸線方向に変位可能なシフトスリーブと係止部材との形状結合を可能とする。係止スリーブは、ばね力に抗して手動変位可能としたシフトスリーブに当接する。係止部材は、係止スリーブを介して、空撃ちエネルギを吸収するための緩衝部材に当接する。この工具ホルダは、工具を係止するためにシフトスリーブを作業者が手動で変位させる必要がある点で不利である。
【０００５】
【発明の課題】
本発明の課題は、工具を係止するために作業者による手動変位操作を必要としない工具ホルダを具える手持式衝撃工具装置を提案することにある。
【０００６】
【課題の解決手段】
この課題を解決するため、本発明は、請求項１に記載されている事項を特徴とする手持式衝撃工具装置を実現するものである。また、本発明の有利な実施形態は、従属請求項に記載されているとおりである。
【０００７】
本発明によれば、手持式衝撃工具装置における工具ホルダが結合スリーブを有する。この結合スリーブは、直径線上で互いに対向させて配置した２個の半径方向スリットと、ドリル方向と反対側に向けて拡径する内周面を具えると共に、結合スリーブ及び係止部材を包囲する係止スリーブと、係止部材と軸線方向で形状結合して協働するばね負荷型のシフトスリーブとを具える。係止部材は結合スリーブの肉厚を半径方向に超えて結合スリーブの内部に突出し、かつ、係止スリーブの内周面に当接する。結合スリーブのスリットの幅を工具軸線に向けて減少させることにより、同様に工具軸線に向けて幅を減少させた係止部材の半径方向変位は制限される。したがって、係止部材が結合スリーブのスリットを通過して工具軸線に向けて過度に変位することはない。
【０００８】
本発明においては、シフトスリーブに少なくとも一部が半径方向に延在する連動突部を設けると共に、係止部材に少なくとも一部が半径方向に延在する連動溝を設け、これらの連動突部及び連動溝を軸線方向で互いに形状結合可能とする。
【０００９】
係止部材は、係止位置において係止スリーブの内周面に当接すると共に一部が結合スリーブの内部に突出させるのが有利である。なお、係止部材は、工具ホルダの結合スリーブに把持された工具シャフトの外面で、直径線上で互いに対向させて配置された係止溝内に突出させ、これらの係止溝は軸線方向両端が閉鎖した形状とすることができる。
【００１０】
空撃ちの場合にその空撃ちエネルギを吸収するため、係止部材は係止スリーブを介してエラストマ材料から構成された緩衝部材に当接させるのが有利である。
【００１１】
手持式工具装置と堅固に結合された工具ホルダに工具シャフトを挿入する場合、係止部材は、その円錐面により、ばね力に抗しつつ係止スリーブの半径方向円錐面に沿って手持式工具装置に向けて変位すると共に、面取りが施された工具端面により、半径方向外方に向けて既存の自由空間内に押し込まれる。係止部材が、工具シャフトの外周面を超えて半径方向外方に変位すると、工具が直ちに、打撃部材のストッパに達するまで手持式工具装置に挿入可能となる。係止部材は、ばね及び係合突部により、係止スリーブの半径方向円錐面を介して、内方の係止溝内に押し込まれる。その際、工具ホルダの何れかの部分を直接的に手動で変位させる必要なしに工具を係止することが可能である。
【００１２】
作動状態において、係止部材の軸線方向における表面部分が、ばねと、シフトスリーブの係合突部と、係止部材の係合溝とを介して係止スリーブの装置側端面に押圧され、半径方向の円錐面上に形状結合した状態で支持される。係止部材は、部分的に半径方向で工具シャフトの係止溝内に係合すると共に、工具を軸線方向で限定的に可動として係止させる。したがって、係止部材は、係止溝の側面を介してトルクを伝達することができる。
【００１３】
空撃ちの場合、工具は、軸線方向のストロークを制限する係止溝の装置側端面を係止部材の装置側端面に衝突させる。工具側に向けられた係止部材の傾斜面と、係止スリーブの装置側端面とが互いに当接することにより、係止スリーブが緩衝部材に押圧され、空撃ちエネルギを吸収しつつ工具ホルダに伝達する。
【００１４】
操作スリーブを手動で装置側に向けて軸線方向変位させると、係止部材は、操作スリーブに軸線方向の衝撃力を与えるシフトスリーブを介して、内周面の作用領域から軸線方向に引き出される。工具が結合スリーブから引き出されると、係止部材は結合スリーブ内に位置する工具シャフトから半径方向の解除位置まで変位する。
【００１５】
【好適な実施形態】
以下、本発明を図面について更に具体的に説明する。
【００１６】
図１は本発明には含まれない参考例に係る手持式衝撃工具装置１の要部を示すものである。この参考例において、工具ホルダ２は、結合スリーブ３と、直径線上で互いに対向して配置され、それぞれ半径方向に貫通する２個のスリット４、４’内で軸線方向及び半径方向に変位可能とした２個の係止部材５と、内径が装置側で半径方向に拡大する内周面７を有し、結合スリーブ３及び係止部材５を包囲する係止スリーブ６と、係止部材５と軸線方向で形状結合しつつ協働するばね負荷型のシフトスリーブ８とを具える。係止部材５は、結合スリーブ３内部に突出する。係止部材５は、結合スリーブ３の肉厚を半径方向に超えると共に、係止スリーブ６の内周面７に当接する。結合スリーブ３におけるスリット４、４’の幅は、工具軸線Ａに向けて減少させる。したがって、同様に工具軸線Ａに向けて幅を減少させた係止部材５の、半径方向内方に向けての変位が制限される。シフトスリーブ８に、少なくとも一部が軸線方向に延在する連動孔９を形成し、この連動孔９により係止部材５を、少なくとも円周方向の一部において包囲する。工具側及び装置側で工具軸線Ａに向けて面取りした係止部材５は、結合スリーブ３内に位置する工具シャフト１１の外面において、直径線上で互いに対向させて配置された係止溝１０内に突出する。係止溝１０は、軸線方向の両端が閉鎖された形状とされている。工具シャフト１１は、端面に面取りが施されている。係止部材５は、係止スリーブ６を介してエラストマ材料で構成された緩衝部材１３に当接する。操作スリーブ１４は、工具側で軸線方向にシフトスリーブ８と接する。係止部材５には、その全長の一部に亙り、工具側に向けられた傾斜面１５を形成する。
【００１７】
図２に示す本発明の一実施形態においては、シフトスリーブ８は、少なくとも部分的に半径方向に延在する連動突部１６を形成する。連動突部１６は、少なくとも一部が半径方向に延在するよう係止部材５に設けられた連動溝１７内に軸線方向で形状結合する。
【００１８】
図３は、係止部材５を工具軸線Ａに対して垂直な面内で示す断面図である。係止部材５は、互いに非平行で対向する２つの側面１８、１８’により、セグメント形状のテーパを有する。
【図面の簡単な説明】
【図１】 手持式衝撃工具装置用の工具ホルダの参考例を示す断面図である。
【図２】 本発明による手持式衝撃工具装置用の工具ホルダの一実施形態を示す断面図である。
【図３】 係止部材を示す略図である。
【符号の説明】
１ 手持式衝撃工具装置
２ 工具ホルダ
３ 結合スリーブ
４、４’ スリット
５ 係止部材
６ 係止スリーブ
７ 内周面
８ シフトスリーブ
９ 連動孔
１０ 係止溝
１１ 工具シャフト
１２ 面取り
１３ 緩衝部材
１４ 操作スリーブ
１５ 傾斜面
１６ 連動突部
１７ 連動溝
１８、１８’ 側面
【図１】
0004965037.tif 000002
【図２】
0004965037.tif 000003
【図３】
0004965037.tif 000004